(57)【要約】【課題】紙葉類の着脱を繰り返した際の各紙葉類の位置の乱れを防止することにある。【解決手段】表表紙２、裏表紙３及び背表紙４を備え、背表紙４は表表紙２及び裏表紙３の上縁１ａから上方に突出する上方突出部４ａと、表表紙２及び裏表紙３の下縁１ｂから下方に突出する下方突出部４ｂとを有し、背表紙４の内面には昇華印画紙（紙葉類）Ｗの短辺部（一側縁部）Ｗａを離脱可能に保持する粘着剤５を設けてなり、上方突出部４ａ及び下方突出部４ｂは背表紙４の内面に重なるように折り曲げた際に、粘着剤５によって内面に貼り付けられることによって、背表紙４における粘着剤５による昇華印画紙Ｗを保持する範囲を規定するように構成している。【選択図】図１
2010179468.tif 000002
【特許請求の範囲】
【請求項１】
表表紙、裏表紙及び背表紙を備えた粘着式紙葉類ホルダであって、
前記背表紙は、前記表表紙及び前記裏表紙の上縁から上方に突出する上方突出部と、前記表表紙及び前記裏表紙の下縁から下方に突出する下方突出部とを有し、
前記背表紙の内面には、紙葉類の一側縁部を離脱可能に保持する粘着剤を設けてなり、
前記上方突出部及び前記下方突出部は、前記背表紙の内面に重なるように折り曲げた際に、前記粘着剤によって当該内面に貼り付けられた状態になると共に、この貼り付けられた状態になることによって、前記粘着剤による前記紙葉類を保持する範囲を規定するようになっていることを特徴とする粘着式紙葉類ホルダ。
【請求項２】
前記背表紙には、前記上方突出部を背表紙の内面に重なるように折り曲げるための折り目となる位置に上方折目案内部が形成されていると共に、下方突出部を背表紙の内面に重なるように折り曲げるための折り目となる位置に下方折目案内部が形成されていることを特徴とする請求項１に記載の粘着式紙葉類ホルダ。
【請求項３】
前記粘着剤は、前記上方突出部及び前記下方突出部の貼り付けが可能な前記背表紙の内面部分、及び前記紙葉類を保持することが可能な前記背表紙の内面部分に、少なくとも設けられていることを特徴とする請求項１又は２に記載の粘着式紙葉類ホルダ。
【請求項４】
前記粘着剤は、前記上方突出部及び前記下方突出部の貼り付けが可能な前記背表紙の内面部分に少なくとも設けられていると共に、当該貼り付けた状態となった際の上方突出部と下方突出部との間における前記背表紙の内面の少なくとも上部及び下部に設けられていることを特徴とする請求項１〜３の何れかに記載の粘着式紙葉類ホルダ。
【請求項５】
前記粘着剤は、前記背表紙における前記表表紙側の一方の側縁及び前記裏表紙側の他方の側縁に沿う所定の幅の縁部の内側に付着されることにより設けられていることを特徴とする請求項１〜４の何れかに記載の粘着式紙葉類ホルダ。
【請求項６】
前記粘着剤の上から少なくとも前記背表紙の内面の全体を覆うように剥離紙が設けられていることを特徴とする請求項１〜５の何れかに記載の粘着式紙葉類ホルダ。
【請求項７】
前記表表紙、前記裏表紙及び前記背表紙は、平面状に形成されており、
前記表表紙と前記背表紙との境界線の部分には、当該境界線に沿って折り目を生じさせる表表紙折目案内部が設けられ、
前記裏表紙と前記背表紙との境界線の部分には、当該境界線に沿って折り目を生じさせる裏表紙折目案内部が設けられていることを特徴とする請求項１〜６の何れかに記載の粘着式紙葉類ホルダ。
【請求項８】
前記背表紙における一方及び他方の側縁に沿う前記各縁部には、前記粘着剤の厚さより高く形成された凸条が設けられていることを特徴とする請求項５〜７の何れかに記載の粘着式紙葉類ホルダ。
【請求項９】
請求項１〜８の何れかに記載の粘着式紙葉類ホルダを製造する方法であって、
一方の面に前記表表紙、前記裏表紙及び前記背表紙の印刷がなされた連続シートの他方の面における前記背表紙に対応する部分に粘着剤を層状に付着させた後、前記表表紙、前記裏表紙及び前記背表紙となる部分を一体的に型抜きすることにより前記粘着式紙葉類ホルダを前記連続シートから製造することを特徴とする粘着式紙葉類ホルダの製造方法。
【請求項１０】
巻出部から巻き出される連続シートの一方の面に前記表表紙、前記裏表紙及び前記背表紙の印刷をしてから、当該印刷がなされた連続シートの他方の面における前記背表紙に対応する部分に粘着剤を層状に付着させることを特徴とする請求項９に記載の粘着式紙葉類ホルダの製造方法。
【請求項１１】
前記連続シートの他方の面における前記背表紙に対応する部分に粘着剤を層状に付着させた後に、その粘着剤の上から少なくとも前記背表紙に対応する部分の全体を覆うように連続剥離紙を設けてから、前記表表紙、前記裏表紙及び前記背表紙となる部分を一体的に型抜きすることを特徴とする請求項９又は１０に記載の粘着式紙葉類ホルダの製造方法。
【請求項１２】
前記型抜きによる工程と同じ工程で、前記背表紙の上方に突出する上方突出部を背表紙の内面に折り重ねるための折り目を生じさせる上方折目案内部、前記背表紙の下方に突出する下方突出部を背表紙の内面に折り重ねるための折り目を生じさせる下方折目案内部、前記表表紙と前記背表紙との境界線に沿って折り目を生じさせる表表紙折目案内部及び前記裏表紙と前記背表紙との境界線に沿って折り目を生じさせる裏表紙折目案内部を成形することを特徴とする請求項９〜１１の何れかに記載の粘着式紙葉類ホルダの製造方法。
【発明の詳細な説明】
【技術分野】
【０００１】
本発明は、紙葉類を離脱可能に保持する粘着式紙葉類ホルダ及びその製造方法に関する。
【背景技術】
【０００２】
この種の粘着式紙葉類ホルダとしては、台紙の内面に粘着層を設け、多数まとめたカード（紙葉類）の一側縁部を粘着層に付着させることによって、これらのカードを一体的に保持することができると共に、必要に応じて、任意のカードを台紙の粘着層から離脱させて取り外したり、再び粘着層に付着させることによって台紙によって保持した状態にしたりすることが可能なものが知られている（例えば特許文献１）。
【先行技術文献】
【特許文献】
【０００３】
【特許文献１】特開２００２−１４４７８０号公報
【発明の概要】
【発明が解決しようとする課題】
【０００４】
ところが、上記従来の粘着式紙葉類ホルダにおいては、多数のカードについて上下左右の各側縁をそろえた上でその左又は右の一側縁部を粘着層に付着させることにより、当該カードを綺麗に整理された状態に保持することが可能であるが、任意のカードについて着脱を繰り返すうちに、上下の側縁の位置がばらついた状態になり、次第に見栄えが悪くなるという問題があった。
【０００５】
本発明は、上記事情に鑑みてなされたものであり、紙葉類の着脱を繰り返しても、各紙葉類の上下の側縁を綺麗にそろえた状態に維持することのできる粘着式紙葉類ホルダを提供することを課題としている。
【課題を解決するための手段】
【０００６】
上記課題を解決するために、請求項１に記載の発明は、表表紙、裏表紙及び背表紙を備えた粘着式紙葉類ホルダであって、前記背表紙は、前記表表紙及び前記裏表紙の上縁から上方に突出する上方突出部と、前記表表紙及び前記裏表紙の下縁から下方に突出する下方突出部とを有し、前記背表紙の内面には、紙葉類の一側縁部を離脱可能に保持する粘着剤を設けてなり、前記上方突出部及び前記下方突出部は、前記背表紙の内面に重なるように折り曲げた際に、前記粘着剤によって当該内面に貼り付けられた状態になると共に、この貼り付けられた状態になることによって、前記粘着剤による前記紙葉類を保持する範囲を規定するようになっていることを特徴としている。
【０００７】
なお、上下の方向性については、背表紙と表表紙及び裏表紙との境界線に沿う方向を上下方向ととらえて、上、下、上方、下方の語句を用いている。
【０００８】
請求項２に記載の発明は、請求項１に記載の発明において、前記背表紙には、前記上方突出部を背表紙の内面に重なるように折り曲げるための折り目となる位置に上方折目案内部が形成されていると共に、下方突出部を背表紙の内面に重なるように折り曲げるための折り目となる位置に下方折目案内部が形成されていることを特徴としている。
【０００９】
請求項３に記載の発明は、請求項１又は２に記載の発明において、前記粘着剤は、前記上方突出部及び前記下方突出部の貼り付けが可能な前記背表紙の内面部分、及び前記紙葉類を保持することが可能な前記背表紙の内面部分に、少なくとも設けられていることを特徴としている。
【００１０】
請求項４に記載の発明は、請求項１〜３の何れかに記載の発明において、前記粘着剤は、前記上方突出部及び前記下方突出部の貼り付けが可能な前記背表紙の内面部分に少なくとも設けられていると共に、当該貼り付けた状態となった際の上方突出部と下方突出部との間における前記背表紙の内面の少なくとも上部及び下部に設けられていることを特徴としている。
【００１１】
請求項５に記載の発明は、請求項１〜４の何れかに記載の発明において、前記粘着剤は、前記背表紙における前記表表紙側の一方の側縁及び前記裏表紙側の他方の側縁に沿う所定の幅の縁部の内側（即ち、一方の縁部と他方の縁部との間）に付着されることにより設けられていることを特徴としている。
【００１２】
請求項６に記載の発明は、請求項１〜５の何れかに記載の発明において、前記粘着剤の上から少なくとも前記背表紙の内面の全体を覆うように剥離紙が設けられていることを特徴としている。
【００１３】
請求項７に記載の発明は、請求項１〜６の何れかに記載の発明において、前記表表紙、前記裏表紙及び前記背表紙は、平面状に形成されており、前記表表紙と前記背表紙との境界線の部分には、当該境界線に沿って折り目を生じさせる表表紙折目案内部が設けられ、前記裏表紙と前記背表紙との境界線の部分には、当該境界線に沿って折り目を生じさせる裏表紙折目案内部が設けられていることを特徴としている。
【００１４】
請求項８に記載の発明は、請求項５〜７の何れかに記載の発明において、前記背表紙における一方及び他方の側縁に沿う前記各縁部に、前記粘着剤の厚さより高く形成された凸条が設けられていることを特徴としている。
【００１５】
請求項９に記載の発明は、請求項１〜８の何れかに記載の粘着式紙葉類ホルダを製造する方法であって、一方の面に前記表表紙、前記裏表紙及び前記背表紙の印刷がなされた連続シートの他方の面における前記背表紙に対応する部分に粘着剤を層状に付着させた後、前記表表紙、前記裏表紙及び前記背表紙となる部分を一体的に型抜きすることにより前記粘着式紙葉類ホルダを前記連続シートから製造することを特徴としている。
【００１６】
請求項１０に記載の発明は、請求項９に記載の発明において、巻出部から巻き出される連続シートの一方の面に前記表表紙、前記裏表紙及び前記背表紙の印刷をしてから、当該印刷がなされた連続シートの他方の面における前記背表紙に対応する部分に粘着剤を層状に付着させることを特徴としている。
【００１７】
請求項１１に記載の発明は、請求項９又は１０に記載の発明において、前記連続シートの他方の面における前記背表紙に対応する部分に粘着剤を層状に付着させた後に、その粘着剤の上から少なくとも前記背表紙に対応する部分の全体を覆うように連続剥離紙を設けてから、前記表表紙、前記裏表紙及び前記背表紙となる部分を一体的に型抜きすることを特徴としている。
【００１８】
請求項１２に記載の発明は、請求項９〜１１の何れかに記載の発明において、前記型抜きによる工程と同じ工程で、前記背表紙の上方に突出する上方突出部を背表紙の内面に折り重ねるための折り目を生じさせる上方折目案内部、前記背表紙の下方に突出する下方突出部を背表紙の内面に折り重ねるための折り目を生じさせる下方折目案内部、前記表表紙と前記背表紙との境界線に沿って折り目を生じさせる表表紙折目案内部及び前記裏表紙と前記背表紙との境界線に沿って折り目を生じさせる裏表紙折目案内部を成形することを特徴としている。
【発明の効果】
【００１９】
請求項１に記載の発明によれば、上方突出部及び下方突出部を背表紙の内面に重なるように折り曲げることにより、これらの上方突出部及び下方突出部を、背表紙の内面に設けられた粘着剤を利用して当該背表紙の内面に簡単に貼り付けることができる。そして、この貼り付けによって、紙葉類を保持する範囲が規定されることになるので、当該範囲に紙葉類を綺麗に整理した状態に保持することができる。
【００２０】
即ち、複数の紙葉類を最初に保持する際には、上方突出部及び下方突出部で規定される位置、即ち背表紙における上下方向の所定の位置に、上下左右の各側縁がそろえられた紙葉類を保持することができる。
【００２１】
また、仮に、一側縁部における上下方向の寸法（被保持部寸法）が上方突出部と下方突出部との間の寸法（保持部寸法）よりも相当に小さな紙葉類を保持する場合でも、紙葉類における一側縁部の例えば下端を下方突出部に当てるようにして、当該一側縁部を粘着剤に付着させることにより、紙葉類を背表紙における上下方向の一定の位置に保持することができる。
【００２２】
一方、複数の紙葉類を背表紙に保持した後、任意の複数の紙葉類について着脱を繰り返した場合であっても、紙葉類を保持する範囲が上方突出部及び下方突出部によって規定されるようになっているので、当該範囲に紙葉類を綺麗にそろえた状態に保持することができる。即ち、各紙葉類における上下の側縁の位置が上下方向にばらついた状態になり、見栄えが悪くなるのを防止することができる。
【００２３】
しかも、上述したように被保持部寸法が保持部寸法より相当に小さな紙葉類を保持する場合でも、紙葉類における一側縁部の例えば下端を下方突出部に当てるようにして、当該一側縁部を粘着剤に付着させることにより、着脱を繰り返しても、各紙葉類における上下の側縁を綺麗にそろえた状態に維持することができる。
【００２４】
また、背表紙を上下方向に向けた場合でも、下方突出部が紙葉類の下端部を支持することになるので、紙葉類が背表紙に沿って下方に徐々に移動するのを防止することができる。
【００２５】
請求項２に記載の発明によれば、上方折目案内部及び下方折目案内部を背表紙に設けているので、当該上方折目案内部及び下方折目案内部の位置で上方突出部及び下方突出部を正確に折り曲げることができる。従って、折り曲げることによって背表紙の内面に貼り付けられた後の上方突出部と下方突出部との間の寸法のばらつきを小さく抑えることができる。
【００２６】
請求項３に記載の発明によれば、粘着剤が上方突出部及び下方突出部の貼り付けが可能な背表紙の内面部分、及び紙葉類を保持することが可能な背表紙の内面部分に、少なくとも設けられているので、上方突出部や下方突出部を背表紙の内面に貼り付ける性能や、紙葉類の保持性能を損なうことなく、粘着剤が背表紙に余分に設けられた状態になるのを防止することができる。即ち、粘着剤の使用量の低減を図ることができる。
【００２７】
請求項４に記載の発明によれば、粘着剤が上方突出部及び下方突出部の貼り付けが可能な背表紙の内面部分に少なくとも設けられていると共に、当該貼り付けた状態となった際の上方突出部と下方突出部との間における背表紙の内面の少なくとも上部及び下部に設けられているので、上方突出部と下方突出部との間にほぼ正確に入る寸法の一側縁部を有する紙葉類であれば、その一側縁部の上下の各端部を確実に保持することができる。
【００２８】
そして、背表紙を上下方向に向けた場合には、重力によって各紙葉類に曲げモーメントが作用し、紙葉類の一側縁部の上端には粘着剤から紙葉類を引き離す方向の最大の力が発生することになるが、この最大の力が発生する部分については粘着剤で確実に保持されるようになっているので、紙葉類が背表紙から離脱するのを防止することができる。しかも、上記曲げモーメントによって生じる力がほとんど作用しない部分については粘着剤を設けなくても済むので、粘着剤の使用量の低減を図ることができる。
【００２９】
請求項５に記載の発明によれば、粘着剤が背表紙における表表紙側の一方の側縁及び裏表紙側の他方の側縁に沿う所定の幅の縁部の内側に付着させることにより設けられているので、粘着剤を背表紙に付着させた後に、当該粘着剤の側縁部が表表紙側や裏表紙側にだれにより移動することになっても、当該粘着剤が表表紙や裏表紙に達し、当該表表紙や裏表紙に付着するのを防止することができる。従って、表表紙や裏表紙に付着した粘着剤によって、紙葉類と、表表紙や裏表紙とが大きな面積で強く貼り付いた状態になり、紙葉類が表表紙や裏表紙から分離しにくくなるのを防止することができる。
【００３０】
請求項６に記載の発明によれば、粘着剤の上から少なくとも背表紙の内面の全体を覆うように剥離紙が設けられているので、上方突出部及び下方突出部を背表紙の内面に折り重ねる癖を背表紙に付ける際に、上方突出部や下方突出部が背表紙の内面に貼り付いた状態になるのを防止することができる。従って、背表紙に折り曲げの癖を付けた後に、その癖の通りに上方突出部及び下方突出部を背表紙の内面に折り重ねて貼り付けることができる。即ち、上方突出部及び下方突出部を背表紙の内面における所定の位置に正確に貼り付けることができる。また、粘着剤が背表紙の内面の全体に設けられている場合であっても、その曲げる癖を付ける際に、剥離紙の端部が粘着剤から離れた状態になるので、その離れた部分をつかんで当該剥離紙を粘着剤から容易に剥離することができる。
【００３１】
請求項７に記載の発明によれば、表表紙、裏表紙及び背表紙が平面状に形成されているので、これらの表紙の外面や内面に種々の印刷等を簡単に行うことができると共に、背表紙の内面に粘着剤を設けたり剥離紙を設けたりすることも簡単に行うことができる。
【００３２】
しかも、表表紙と背表紙との境界線の部分にはその境界線に沿って折り目を生じさせる表表紙折目案内部が設けられ、前記裏表紙と前記背表紙との境界線の部分にはその境界線に沿って折り目を生じさせる裏表紙折目案内部が設けられているので、本の形状に極めて簡単に形成することができる。
【００３３】
請求項８に記載の発明によれば、背表紙における一方及び他方の側縁に沿う各縁部に、粘着剤の厚さより高く形成された凸条が設けられているので、だれることにより表表紙側や裏表紙側に移動しようとする粘着剤の側縁部を各凸条で塞き止めることができる。また、凸条が粘着剤の厚さより高く形成されているので、紙葉類を粘着剤によって保持しようとする場合には凸条がガイドとなって紙葉類の側縁部を粘着剤の位置に導くことができる。即ち、粘着剤の左右の各側縁部に位置するような紙葉類であっても、粘着剤によって確実に保持することができる。
【００３４】
請求項９に記載の発明によれば、一方の面に表表紙、裏表紙及び背表紙の印刷がなされた連続シートの他方の面における背表紙に対応する部分に粘着剤を層状に付着させた後、表表紙、裏表紙及び背表紙となる部分を一体的に型抜きすることにより粘着式紙葉類ホルダを連続シートから製造する方法を用いているので、一方の面としての外面に印刷を付した粘着式紙葉類ホルダを連続的に効率よく製造することができる。
【００３５】
請求項１０に記載の発明によれば、巻出部から巻き出される連続シートの一方の面に表表紙、裏表紙及び背表紙の印刷をしてから、当該印刷がなされた連続シートの他方の面における背表紙に対応する部分に粘着剤を層状に付着させるようにしているので、一方の面としての外面に種々の印刷を施した粘着式紙葉類ホルダを連続的に効率よく製造することができる。
【００３６】
請求項１１に記載の発明によれば、連続シートの他方の面における背表紙に対応する部分に粘着剤を層状に付着させた後に、その粘着剤の上から少なくとも背表紙に対応する部分の全体を覆うように連続剥離紙を設けてから、表表紙、裏表紙及び背表紙を一体的に型抜きしているので、少なくとも背表紙の内面の全体を覆うように剥離紙を設けたものを簡単に得ることができる。
【００３７】
請求項１２に記載の発明によれば、型抜きによる工程と同じ工程で、背表紙の上方に突出する上方突出部を背表紙の内面に折り重ねるための折り目を生じさせる上方折目案内部、背表紙の下方に突出する下方突出部を背表紙の内面に折り重ねるための折り目を生じさせる下方折目案内部、表表紙と背表紙との境界線に沿って折り目を生じさせる表表紙折目案内部、及び裏表紙と背表紙との境界線に沿って折り目を生じさせる裏表紙折目案内部を成形しているので、表表紙、裏表紙、背表紙、上方突出部及び下方突出部に対して、各折目案内部の位置がずれるのを防止することができる。従って、正確な位置で折り曲げることが可能な粘着式紙葉類ホルダを連続的に効率よく製造することができる。
【図面の簡単な説明】
【００３８】
【図１】本発明の一実施の形態として示した粘着式紙葉類ホルダの図であって、（ａ）は正面図であり、（ｂ）は（ａ）の要部拡大図であり、（ｃ）は（ｂ）のＣ−Ｃ線に沿う拡大断面図であり、（ｄ）は（ｃ）において表表紙（又は裏表紙）を背表紙に対して直角に折り曲げた後の状態を示す断面図であり、（ｅ）は（ｂ）のＥ−Ｅ線に沿う断面図であり、（ｆ）は（ｅ）において剥離紙を剥離した後、上方突出部（又は下方突出部）を背表紙４の表面に折り重ねて貼り付けた状態を示す要部拡大断面図である。
【図２】同粘着式紙葉類ホルダについて、上方突出部及び下方突出部を背表紙４の内面に折り重ねて貼り付け、表表紙及び裏表紙を背表紙に対して内側に所定角度折り曲げた後の状態を示す斜視図である。
【図３】同粘着式紙葉類ホルダで昇華印画紙を保持した状態を示す斜視図である。
【図４】同粘着式紙葉類ホルダを示す図であって、（ａ）は図２のIV−IV線に沿う断面図であり、（ｂ）は（ａ）の要部拡大図であり、（ｃ）は粘着剤を背表紙の内面の上下方向の全体に設けたものについての（ｂ）に対応する要部拡大断面図である。
【図５】同粘着式紙葉類ホルダの製造装置を示す図であって、（ａ）は印刷部を備えた製造装置の説明図であり、（ｂ）は（ａ）の変形例であって、印刷部を備えていない製造装置の断面図である。
【図６】同粘着式紙葉類ホルダの製造装置によって製造過程にある連続シートの他方の面を示す要部正面図である。
【図７】同粘着式紙葉類ホルダの背表紙の内面側を示す図であって、（ａ）は本実施の形態で示した粘着剤の付着部分を示す要部正面図であり、（ｂ）は（ａ）の第１の変形例を示す要部正面図であり、（ｃ）は（ａ）の第２の変形例を示す要部正面図であり、（ｄ）は（ａ）の第３の変形例を示す要部正面図であり、（ｅ）は（ａ）の第４の変形例を示す要部正面図であり、（ｆ）は（ａ）の第５の変形例を示す要部正面図である。
【図８】同粘着式紙葉類ホルダの他の例を示す図であって、（ａ）は要部拡大正面図であり、（ｂ）は（ａ）のＢ−Ｂ線に沿う拡大断面図であり、（ｃ）は（ｂ）において表表紙（又は裏表紙）を背表紙に対して直角に折り曲げた後の状態を示す断面図である。
【発明を実施するための形態】
【００３９】
本発明を実施するための最良の一実施の形態について図面を参照しながら説明する。
【００４０】
この実施の形態で示す粘着式紙葉類ホルダ１は、図１（ａ）に示すように、表表紙２、裏表紙３及び背表紙４を備えた平面状の一枚の用紙によって構成されている。なお、背表紙４に対して左右に位置する表表紙２及び裏表紙３の方向を横方向とし、この横方向に直交する方向であって背表紙４と、表表紙２及び裏表紙３との境界線に沿う方向を上下方向ととらえることにより、以下、横方向、上下方向、左、右、上、下の方向性を意味する用語を用いる。
【００４１】
図１（ａ）は、粘着式紙葉類ホルダ１の内面を正面視した図である。この粘着式紙葉類ホルダ１は、図２に示すように、表表紙２及び裏表紙３を背表紙４に対して内面側に折り曲げることにより、図３に示すように、表表紙２と裏表紙３との間に、長方形状に形成されたはがき大の昇華印画紙（紙葉類）Ｗを複数枚収容することが可能になる。なお、昇華印画紙とは、昇華熱転写方式を利用したデジタル写真用印画紙をいう。
【００４２】
表表紙２及び裏表紙３は、図１（ａ）に示すように、はがきよりやや大きな長方形状に形成されている。これらの表表紙２及び裏表紙３は、上縁１ａ、１ａ及び下縁１ｂ、１ｂが背表紙４を挟んでそれぞれ一直線状に延在するように形成されている。
【００４３】
背表紙４は、上下方向に長く延在する長方形状に形成されており、表表紙２及び裏表紙３の上縁１ａから上方に突出する上方突出部４ａと、表表紙２及び裏表紙３の下縁１ｂから下方に突出する下方突出部４ｂとを有している。また、背表紙４の内面には、図１、図２及び図４に示すように、昇華印画紙Ｗの一方の短辺部（一側縁部）Ｗａ（図４参照）を離脱可能に保持する粘着剤５が層状に設けられている。
【００４４】
上方突出部４ａ及び下方突出部４ｂは、背表紙４の内面に重なるように折り曲げた際に、粘着剤５によって当該内面に貼り付けられ、これによって、当該背表紙４における粘着剤５による昇華印画紙Ｗの一方の短辺部Ｗａを保持する範囲を規定するようになっている。即ち、上方突出部４ａと下方突出部４ｂとの間の寸法は、図４（ｂ）に示すように、昇華印画紙Ｗの一方の短辺部Ｗａの長さより若干大きくなっている。即ち、上方突出部４ａと下方突出部４ｂとの間の寸法は、昇華印画紙Ｗの短辺部Ｗａがほぼ正確に入る寸法となっている。
【００４５】
粘着剤５は、図１（ａ）、（ｂ）、（ｅ）及び図４（ｂ）に示すように、上方突出部４ａにおける上下方向のほぼ中央の位置から下方突出部４ｂの上下方向のほぼ中央の位置までの間の背表紙４の内面に層状に設けられている。即ち、粘着剤５は、背表紙４における上方突出部４ａ及び下方突出部４ｂの貼り付けが可能な部分に設けられていると共に、当該貼り付けた状態となった上方突出部４ａと下方突出部４ｂとの間における昇華印画紙Ｗの一方の短辺部Ｗａを保持することが可能な部分に設けられている。
【００４６】
また、粘着剤５は、図１（ｂ）に示すように、背表紙４における表表紙２側の一方の側縁及び裏表紙３側の他方の側縁に沿う所定の幅の縁部４ｅ、４ｆの内側（即ち、一方の縁部４ｅと他方の縁部４ｆとの間）に付着させることにより設けられている。各縁部４ｅ、４ｆの幅は、背表紙４の内面に粘着剤５を層状に付着した後に、当該粘着剤５の側縁部が表表紙２側や裏表紙３側にだれにより移動した場合でも、当該粘着剤５が表表紙２や裏表紙３に達し、これらの表表紙２や裏表紙３に付着するのを防止することが可能な寸法に設定されている。
【００４７】
この粘着剤５としては、アクリル系、シリコーン系、ビニルエーテルポリマ系、天然ゴム系、合成ゴム系等の材料が単独であるいは複合させて用いられる。なお、この実施の形態においては、時間の経過に伴う粘着性能の低下が小さいという特長のあるアクリル系の材料を用いている。即ち、粘着剤５は、常温において優れた粘着性を有し、時間の経過に伴う粘着性能の低下が小さいホットメルト粘着剤の皮膜によって形成されている。
【００４８】
また、背表紙４には、図１（ｂ）及び（ｅ）に示すように、上方突出部４ａを背表紙４の内面に重なるように折り曲げるための折り目を生じさせる上方折目案内部４ｃが形成されていると共に、下方突出部４ｂを背表紙４の内面に重なるように折り曲げるための折り目を生じさせる下方折目案内部４ｄが形成されている。上方折目案内部４ｃは、上方突出部４ａの全体が背表紙４の内面に重なり、その重なった後の折目部分が表表紙２及び裏表紙３の上縁１ａとほぼ同一の位置となるように、上方突出部４ａの基端部に形成されている。下方折目案内部４ｄも、上方折目案内部４ｃと同様に、下方突出部４ｂの基端部に形成されている。
【００４９】
そして、上方折目案内部４ｃは、背表紙４の外面から内面に向けて筋刃（図示せず）を用いて筋押しすることにより、内面側に凸となるように形成されている。この上方折目案内部４ｃは、他の部分より薄く形成された状態となると共に、組織も柔らかくなることから、図１（ｆ）に示すように、上方突出部４ａを背表紙４の内面に折り重ねるための折目を容易に形成することを可能にしている。下方折目案内部４ｄも、上方折目案内部４ｃと同様に筋押し加工により形成されている。
【００５０】
また、表表紙２と背表紙４との境界線の部分には、図１（ｂ）、（ｃ）及び（ｄ）に示すように、当該境界線に沿って折り目を生じさせる表表紙折目案内部４ｇが設けられており、裏表紙３と背表紙４との境界線の部分には、当該境界線に沿って折り目を生じさせる裏表紙折目案内部４ｈが設けられている。表表紙折目案内部４ｇは、表表紙２と背表紙４との境界線に隣接する当該表表紙２の部位に形成されており、表表紙２の外面から内面に向けて筋刃（図示せず）を用いて筋押しすることにより、内面側に凸となるように形成されている。この表表紙折目案内部４ｇは、他の部分より薄く形成された状態となると共に、組織も柔らかくなることから、表表紙２を背表紙４の内面に折り曲げるための折目を容易に形成することを可能にすると共に、繰り返しの折り曲げにも十分耐えるものを提供することになる。裏表紙折目案内部４ｈについても、裏表紙３と背表紙４との境界線に隣接する当該裏表紙３の部位に、表表紙折目案内部４ｇと同様に筋押し加工により形成されている。
【００５１】
平面状に形成された背表紙４の内面には、図１に示すように、粘着剤５の上から上方突出部４ａ及び下方突出部４ｂを含む背表紙４の内面の全体を覆うように剥離紙６が設けられている。この剥離紙６は、貼り付ける際に、背表紙４の幅方向（横方向）に多少ずれても、粘着剤５を確実に覆うように、背表紙４の幅寸法より大きな幅寸法に形成されている。
【００５２】
次に、上記のように構成された粘着式紙葉類ホルダ１の製造装置１０１について図５（ａ）及び図６を参照して説明する。
【００５３】
この製造装置１０１は、図５（ａ）に示すように、巻出部１０２と、印刷部１０３と、粘着材付着部１０４と、剥離紙貼着部１０５と、筋押・型抜部１０６と、廃紙巻取部１０７と、粘着式紙葉類ホルダ１の回収部１０８とを備えた構成になっている。
【００５４】
巻出部１０２は、粘着式紙葉類ホルダ１の母材となる連続シート１０９を予めロール状に巻いた状態で保持すると共に、当該連続シート１０９を印刷部１０３に連続的に巻き出すように構成されている。
【００５５】
印刷部１０３は、巻出部１０２から巻き出された連続シート１０９の一方の面（粘着式紙葉類ホルダ１の外面に対応する面）に、粘着式紙葉類ホルダ１の外面を装飾する図案等の意匠１１０（図６参照）を所定の間隔をおいて連続的にカラー印刷するようになっている。即ち、図６に示すように、粘着式紙葉類ホルダ１における表表紙２、裏表紙３及び背表紙４を装飾するための意匠１１０を連続シート１０９の長手方向に所定の間隔をおいて印刷するようになっている。各意匠１１０を印刷する範囲は、型抜きする際の粘着式紙葉類ホルダ１の範囲より広い範囲となっている。
【００５６】
粘着材付着部１０４は、図５（ａ）に示すように、印刷後の連続シート１０９の他方の面（粘着式紙葉類ホルダ１の内面に対応する面）における背表紙４に対応する部分に粘着剤５を層状に付着させるようになっている。連続シート１０９における粘着剤５の付着範囲は、上述した背表紙４における粘着剤５を付着させる範囲に相当する部分である。
【００５７】
剥離紙貼着部１０５は、予め巻かれた状態で保持された連続剥離紙１１１を巻き出して、粘着剤５を付着した後の背表紙４の内面に対応する部分の全体を覆うようになっている。この場合、連続剥離紙１１１は、図６に示すように、各粘着式紙葉類ホルダ１の背表紙４に対応する部分以外の連続シート１０９の部分にも巻き出されることになる。なお、連続剥離紙１１１は粘着剤５の部分に付着した状態になる。
【００５８】
筋押・型抜部１０６は、図５（ａ）及び図６に示すように、連続剥離紙１１１を付着させた後の連続シート１０９の各粘着式紙葉類ホルダ１の部位における上述した上方折目案内部４ｃ、下方折目案内部４ｄ、表表紙折目案内部４ｇ及び裏表紙折目案内部４ｈに対応する部分について筋押し加工すると共に、表表紙２、裏表紙３及び背表紙４に対応する部分を一体的に型抜き加工することにより、連続シート１０９から粘着式紙葉類ホルダ１を得るようになっている。
【００５９】
廃紙巻取部１０７は、図５（ａ）に示すように、型抜き加工後の連続シート１０９を廃紙１１２として巻き取ることにより、型抜き加工された粘着式紙葉類ホルダ１を連続シート１０９から完全に分離するようになっている。
【００６０】
回収部１０８は、連続シート１０９から分離された粘着式紙葉類ホルダ１を順次回収して所定の枚数ごとに重ねた状態にしてから、順次、次の工程に搬送するようになっている。
【００６１】
次に、上記のように構成された粘着式紙葉類ホルダ１の製造方法について説明する。
【００６２】
まず、巻出部１０２から巻き出される連続シート１０９の一方の面に表表紙２、裏表紙３及び背表紙４に対応する部分の印刷を印刷部１０３において行ってから、当該印刷がなされた連続シート１０９の他方の面における背表紙４に対応する部分に粘着剤５を層状に付着させることによって設ける。この粘着剤５の付着は、粘着材付着部１０４において行う。次に、剥離紙貼着部１０５において、連続シート１０９における粘着剤５の上から背表紙４に対応する部分の全体を覆うように連続剥離紙１１１（型抜き後に剥離紙６となる）を設ける。その後、筋押・型抜部１０６において、上方折目案内部４ｃ、下方折目案内部４ｄ、表表紙折目案内部４ｇ及び裏表紙折目案内部４ｈを筋押し加工により成形すると共に、連続シート１０９から表表紙２、裏表紙３及び背表紙４とすべき部分（即ち、粘着式紙葉類ホルダ１となる部分）を一体的に型抜きする。そして、廃紙巻取部１０７において、粘着式紙葉類ホルダ１を型抜きした後の連続シート１０９を廃紙１１２として巻き取る。これにより、連続シート１０９から完全に分離された各粘着式紙葉類ホルダ１を得る。分離された各粘着式紙葉類ホルダ１は、回収部１０８において、所定の枚数ごとに重ねた状態で回収する。
【００６３】
上記のように構成された粘着式紙葉類ホルダ１においては、上方突出部４ａ及び下方突出部４ｂを背表紙４の内面に重なるように折り曲げることにより、これらの上方突出部４ａ及び下方突出部４ｂを粘着剤５を利用して背表紙４の内面に簡単に貼り付けることができる。そして、貼り付けた上方突出部４ａと下方突出部４ｂとの間が粘着剤５によって昇華印画紙Ｗの短辺部Ｗａを保持する範囲として規定されるようになっているので、当該範囲に複数の昇華印画紙Ｗを上下方向にずれることなく綺麗に保持することができる。
【００６４】
即ち、複数の昇華印画紙Ｗを最初に保持する場合には、上下左右の各側縁をそろえた上で粘着剤５に貼り付けることができるので、当該昇華印画紙Ｗを綺麗に保持した状態にすることができる。この際、上方突出部４ａ及び下方突出部４ｂで規定された背表紙４における上下方向の所定の位置（この実施形態においては上下方向の中央部）に保持することができる。
【００６５】
また、昇華印画紙Ｗがはがきより小さく、上方突出部４ａと下方突出部４ｂとの間の寸法（保持部寸法）が昇華印画紙Ｗの短辺部Ｗａの上下方向の寸法（被保持部寸法）より相当に大きくなっている場合であっても、例えば昇華印画紙Ｗの短辺部Ｗａの下端を下方突出部４ｂに当てるようにより、背表紙４における上下方向の所定の高さ位置に昇華印画紙Ｗを保持することができる。
【００６６】
一方、複数の昇華印画紙Ｗを背表紙４に保持した後、任意の昇華印画紙Ｗについて無作為に着脱を繰り返した場合でも、昇華印画紙Ｗを保持する範囲が上方突出部４ａ及び下方突出部４ｂによって規定されているので、当該範囲に昇華印画紙Ｗをきちんと整理した状態に維持することができる。即ち、各昇華印画紙Ｗの上下の側縁が上下方向にばらばらになってしまい、見栄えが悪くなるのを防止することができる。
【００６７】
しかも、上述したように保持部寸法が被保持部寸法より相当に大きい場合でも、昇華印画紙Ｗの短辺部Ｗａの下端を例えば下方突出部４ｂに当てることにより、背表紙４に対する昇華印画紙Ｗの位置を決めることができるので、着脱を繰り返しても、背表紙４に保持された昇華印画紙Ｗが上下方向にばらつくのを防止することができる。
【００６８】
また、背表紙４を上下方向に向けた場合でも、下方突出部４ｂが昇華印画紙Ｗの下端部を支持することになるので、昇華印画紙Ｗが背表紙４に沿って下方に徐々に移動するのを防止することができる。
【００６９】
そして、上方突出部４ａ及び下方突出部４ｂを折り曲げるための上方折目案内部４ｃ及び下方折目案内部４ｄを背表紙４に設けているので、当該上方折目案内部４ｃ及び下方折目案内部４ｄの位置で正確かつ容易に上方突出部４ａ及び下方突出部４ｂを折り曲げることができる。従って、折り曲げて背表紙４の内面に貼り付けられた後の上方突出部４ａと下方突出部４ｂとの間の寸法のばらつきを小さく抑えることができる。また、上方折目案内部４ｃ及び下方折目案内部４ｄの位置で折り曲げることにより、折目の部分を綺麗に仕上げることができる利点もある。
【００７０】
また、粘着剤５が背表紙４における表表紙２側の一方の側縁及び裏表紙３側の他方の側縁に沿う所定の幅の縁部４ｅ、４ｆの内側に付着させることにより設けられているので、粘着剤５を背表紙４に付着させた後に、当該粘着剤５の側縁部が表表紙２側や裏表紙３側にだれることにより移動しても、当該粘着剤５が表表紙２や裏表紙３に達するのを防止することができる。従って、粘着剤５が表表紙２や裏表紙３に付着することにより、昇華印画紙Ｗと、表表紙２や裏表紙３とが大きな面積で強く貼り合わされた状態になるのを防止することができる。よって、昇華印画紙Ｗを粘着式紙葉類ホルダ１から取り外すのが困難になるのを防止することができる。
【００７１】
更に、粘着剤５の上から背表紙４の内面の全体を覆うように剥離紙６が設けられているので、上方突出部４ａ及び下方突出部４ｂを背表紙４の内面に折り曲げるべく癖を付ける際に、上方突出部４ａや下方突出部４ｂが背表紙４の内面に貼り付いてしまうのを防止することができる。しかも、粘着剤５が上方突出部４ａ及び下方突出部４ｂの上下方向の中央部の外側には設けられていないので、その粘着剤５の設けられていない部分に位置する剥離紙６の上端部分又は下端部分を掴んで当該剥離紙６を粘着剤５から容易に引き離すことができる。
【００７２】
また、表表紙２、裏表紙３及び背表紙４が平面状に一体に形成されているので、これらの表紙の表面や裏面に種々の印刷等を簡単に行うことができると共に、背表紙４の内面部分に粘着剤５を設けたり剥離紙６を設けたりすることも容易に行うことができる。
【００７３】
そして、表表紙２と背表紙４との境界線に沿って表表紙折目案内部４ｇが設けられていると共に、裏表紙３と背表紙４との境界線に沿って裏表紙折目案内部４ｈが設けられているので、表表紙２、背表紙４及び裏表紙３をコ字状の本の形状に極めて容易に形成することができるという利点がある。
【００７４】
一方、粘着式紙葉類ホルダ１の製造装置１００及び製造方法においては、巻出部１０２から巻き出される連続シート１０９の一方の面に表表紙２、裏表紙３及び背表紙４に対応する部分の印刷をしてから、当該印刷がなされた連続シート１０９の他方の面における背表紙４に対応する部分に粘着剤５を層状に付着させているので、一方の面に種々の意匠１１０を連続的に印刷することができると共に、他方の面に粘着剤５を効率よく付着させることができる。
【００７５】
そして、粘着剤５を層状に付着させた後に、その粘着剤５の上から背表紙４に対応する部分の全体を覆うように連続剥離紙１１１を設けてから、表表紙２、裏表紙３及び背表紙４を一体的に型抜きしているので、背表紙４の内面の全体を覆うように剥離紙６を設けたもの連続的に効率よく得ることができる。
【００７６】
しかも、型抜きによる工程と同じ工程で、上方折目案内部４ｃ、下方折目案内部４ｄ、表表紙折目案内部４ｇ及び裏表紙折目案内部４ｈを成形しているので、表表紙２、裏表紙３、背表紙４、上方突出部４ａ及び下方突出部４ｂに対して、各折目案内部４ｃ、４ｄ、４ｇ、４ｈの位置がずれるのを防止することができる。
【００７７】
以上より、一方の面としての外面に所定の印刷を施し、粘着剤５の付着位置や折り曲げ位置が正確な粘着式紙葉類ホルダ１を連続して効率よく製造することができる。
【００７８】
なお、上記実施の形態においては、粘着剤５を、図７（ａ）に示すように、上方突出部４ａ及び下方突出部４ｂのそれぞれの上下方向の中央部から内側の背表紙４の内面に設けるように構成した例を示したが、図７（ｂ）及び図４（ｃ）に示すように、粘着剤５を背表紙４の縁部４ｅ、４ｆを除く内面全体に付着させることにより設けるように構成してもよい。このように、粘着剤５を背表紙４の内面全体に設けた場合でも、上方突出部４ａや下方突出部４ｂについて曲げる癖を付ける際に、剥離紙６の上下の端部が粘着剤５から剥がれた状態になるので、当該剥離紙６を粘着剤５から容易に剥離することができる。
【００７９】
また、図７（ｃ）に示すように、上方突出部４ａ及び下方突出部４ｂのそれぞれの付根位置（上方突出部４ａ及び下方突出部４ｂをそれぞれ折り曲げる位置であり、上方折目案内部４ｃ及び下方折目案内部４ｄに対応する位置）の間の背表紙４の内面全体に設けるように構成してもよい（但し、縁部４ｅ、４ｆを除く。以下、同じ）。このように、粘着剤５を設けた場合も、上方突出部４ａ及び下方突出部４ｂを背表紙４の内面に確実に貼り付けることができると共に、この貼り付けた状態の上方突出部４ａと下方突出部４ｂとの間の粘着剤５に昇華印画紙Ｗを着脱自在にすることができる。
【００８０】
そして、粘着剤５は、図７（ａ）、（ｂ）及び（ｃ）のように、背表紙４の内面に連続的に設けられていなくても、上方突出部４ａ及び下方突出部４ｂを背表紙４に貼り付けることが可能で、かつ昇華印画紙Ｗの保持を可能とする部分に設けるように構成してもよい。
【００８１】
即ち、粘着剤５は、図７（ｄ）に示すように、背表紙４における上方突出部４ａ及び下方突出部４ｂを折り重ねる部分４ｋ（図面において網点と斜線で示す）に設けると共に、この折り重ねる部分４ｋに貼り付けられた状態の上方突出部４ａと下方突出部４ｂとの間の背表紙４の内面における上部４ｍ及び下部４ｎに設けるように構成してもよい。
【００８２】
この場合には、上方突出部４ａと下方突出部４ｂとの間にほぼ一致するようにして入る短辺部Ｗａの寸法を有する昇華印画紙Ｗであれば、その短辺部Ｗａの上下の各端部を粘着剤５で確実に保持することができる。そして、背表紙４が上下方向を向くように粘着式紙葉類ホルダ１を本棚等に設置した場合には、重力によって各昇華印画紙Ｗに曲げモーメントが作用し、短辺部Ｗａの上端には粘着剤５から昇華印画紙Ｗを引き離す方向の最大の力が作用するが、この最大の力が作用する部分については粘着剤５で確実に保持されるようになっているので、昇華印画紙Ｗが背表紙４から脱落するのを防止することができ、当該昇華印画紙Ｗを安定的に保持することができる。そして、曲げモーメントによる力がほとんど作用しない部分（上方突出部４ａと下方突出部４ｂとの間の中央部分）について、粘着剤５が設けられていない状態になるので、昇華印画紙Ｗの保持力を低下させることなく粘着剤５の使用量の低減を図ることができる。なお、上部４ｍ及びこれに隣接する折り重ねる部分４ｋには、一層の粘着剤５を連続的に設けるだけでよい。下部４ｎ及びこれに隣接する折り重ねる部分４ｋについても、同様に、一層の粘着剤５を連続的に設けるだけでよい。但し、折り重ねる部分４ｋに、二層以上の粘着剤を設けるように構成してもよい。
【００８３】
また、粘着剤５については、図７（ｅ）に示すように、背表紙４の内面に貼り付けられた上方突出部４ａと下方突出部４ｂとの間の上部４ｍ及び下部４ｎに加えて中央部４ｑに設けるように構成してもよい。この場合には、昇華印画紙Ｗを背表紙４から平行に引き離す際の抵抗力としての保持力を大きくする上で効果がある。
【００８４】
更に、粘着剤５については、図７（ｆ）に示すように、背表紙４における上方突出部４ａ及び下方突出部４ｂを折り重ねる部分４ｋに設けると共に、折り重ねられて貼り付けられた上方突出部４ａと下方突出部４ｂとの間の背表紙４の内面におけるの上部４ｍ及び下部４ｎの他に、この上部４ｍと下部４ｎの間に一定の間隔をおいて点在する複数の中間部４ｒに設けるように構成してもよい。
【００８５】
また、上記実施の形態においては、粘着式紙葉類ホルダ１の製造装置１０１及び製造方法として、図５（ａ）に示すように、印刷部１０３で印刷するように構成したものを示したが、この製造装置１０１及び製造方法としては、図５（ｂ）に示すように、一方の面に所定の意匠１１０が印刷された連続シート１０９であってロール状に巻かれたものを巻出部１０２に設置し、その印刷済みの連続シート１０９を巻き出すことにより、当該連続シート１０９の他方の面に粘着剤５を粘着材付着部１０４で付着させるように構成してもよい。即ち、印刷済みのロール状に巻かれた連続シート１０９を用いることにより、印刷部１０３で印刷する工程を削除してもよい。
【００８６】
そして、粘着式紙葉類ホルダ１の材料として用紙を用いた例を示したが、この材料としては、表表紙２、裏表紙３及び背表紙４となり得る所定の剛性を有するものであれば他の材料を用いてもよい。即ち、プラスチックのシート等の他の材料を用いてもよい。また、紙葉類として例示した昇華印画紙Ｗについても、他の印画紙や、用紙や、プラスチックのシートやカード等であってもよい。
【００８７】
また、粘着式紙葉類ホルダ１としては、図８に示すように、背表紙４における一方及び他方の側縁に沿う各縁部４ｅ、４ｆに凸条７を設けるように構成してもよい。凸条７は、粘着剤５の厚さより高く形成されていると共に、各縁部４ｅ、４ｆに沿って長く延在するように形成されている。但し、凸条７は、上方突出部４ａ又は下方突出部４ｂを折り重ねる部分４ｋを除いた部分に設けることが好ましい。また、例えば、図７（ｄ）、（ｅ）及び（ｆ）に示すように、粘着剤５が存在しない部分がある場合には、凸条７は粘着剤５が存在する部分（即ち、粘着剤５に対応する部分）に設けるようにしてもよい。また、凸条７は、粘着剤５が連続的に設けられている部分であっても、凸条７を各縁部４ｅ、４ｆの延在する方向に間隔をおいて設けるようにしてもよい。
【００８８】
そして、凸条７の断面は、上端部が円弧状に丸く形成されている。また、凸条７の断面は、上下方向において一定の幅となるように形成することが好ましいが、図８（ｂ）及び（ｃ）に示すように、下方に向って幅がやや広くなるように形成されたものであってもよい。凸条７の材料としては、硬化後に接着効果のなくなる接着剤、例えば常温で硬化し、接着効果のなくなるホットメルト接着剤を用いることが好ましい。
【００８９】
また、剥離紙６は、機材としてポリエチレン、ポリプロピレン、ポリエステル等の樹脂を用い、剥離剤としてシリコーンを用いた薄く柔軟性の高いシートによって形成されている。
【００９０】
上記凸条７は、上述した図５（ａ）、（ｂ）に示す粘着材付着部１０４によって背表紙４の内面に粘着剤５を層状に付着させる前の段階で、上記ホットメルト接着剤を各縁部４ｅ、４ｆに付着させることにより設けることが好ましい。なお、粘着剤５を付着させるのと同時に、あるいは粘着剤５を付着させた後に、凸条７を各縁部４ｅ、４ｆに付着させるようにしてもよい。
【００９１】
上記のように凸条７を設けた粘着式紙葉類ホルダ１においては、背表紙４における一方及び他方の側縁に沿う各縁部４ｅ、４ｆに、粘着剤５の厚さより高く形成された凸条７が設けられているので、だれることにより表表紙２側や裏表紙３側に移動しようとする粘着剤５の左右の各側縁部を各凸条７で塞き止めることができる。また、凸条７が粘着剤５の厚さより高く形成されているので、昇華印画紙（紙葉類）Ｗを粘着剤５によって保持しようとする場合には凸条７がガイドとなって昇華印画紙Ｗの一方の短辺部（一側縁部）Ｗａを粘着剤５の位置に導くことができる。特に、凸条７の上端部が円弧状に丸まった形状になっているので、昇華印画紙Ｗを粘着剤５に導く効果が大きい。従って、粘着剤５の各側縁部分に位置する昇華印画紙Ｗであっても、粘着剤５によって確実に保持することができる。
【００９２】
また、薄く柔軟性の高いシート状の剥離紙６を用いているので、図８（ｂ）に示すように、当該剥離紙６を、粘着剤５の上面及びこの上面から突出する凸条７上に滑らかに沿わせることができる。従って、適度な接着力によって、剥離紙６を粘着剤５に付着させることができる。
【００９３】
なお、凸条７としてホットメルト接着剤を用いた例を示したが、時間の経過に伴って硬化する接着剤（速硬化型接着剤が好ましい）や、光硬化型接着剤等の他の接着剤を用いてもよい。
【符号の説明】
【００９４】
１  粘着式紙葉類ホルダ
１ａ  上縁
１ｂ  下縁
２  表表紙
３  裏表紙
４  背表紙
４ａ  上方突出部
４ｂ  下方突出部
４ｃ  上方折目案内部
４ｄ  下方折目案内部
４ｅ、４ｆ  縁部
４ｇ  表表紙折目案内部
４ｈ  裏表紙折目案内部
４ｋ  折り重ねる部分
４ｍ  上部
４ｎ  下部
５  粘着剤
６  剥離紙
７  凸条
１０１  粘着式紙葉類ホルダの製造装置
１０２  巻出部
１０３  印刷部
１０４  粘着材付着部
１０５  剥離紙貼着部
１０６  筋押・型抜部
１０７  廃紙巻取部
１０８  回収部
１０９  連続シート
１１１  連続剥離紙
Ｗ  昇華印画紙（紙葉類）
Ｗａ  短辺部（一側縁部）
【図１】
2010179468.tif 000003
【図２】
2010179468.tif 000004
【図３】
2010179468.tif 000005
【図４】
2010179468.tif 000006
【図５】
2010179468.tif 000007
【図６】
2010179468.tif 000008
【図７】
2010179468.tif 000009
【図８】
2010179468.tif 000010